(57)【要約】【課題】本発明は、ワンセグ放送の音声符号化方式であるＨＥ−ＡＡＣ方式における子音の音質劣化を改善する。【解決手段】互いに異なる第1および第2の周波数帯域に分離され多重された音声データが入力され、その音声データに基づき音声信号を再生出力可能な音声信号処理装置であって、入力される前記音声データに対して前記第1の周波数帯域の音声信号をデコードする第１の音声デコーダと、前記第2の周波数帯域の音声信号をデコードする第2の音声デコーダとを有するデコード手段と、入力される前記音声データの音声モードを検出する音声モード検出部とを備え、前記音声モード検出部で検出された音声モードがデュアルモノモードの時は、前記第1の音声デコーダを動作させ、前記第2の音声デコーダの動作を停止する。【選択図】図１
2011158694.tif 000002
【特許請求の範囲】
【請求項１】
互いに異なる第1および第2の周波数帯域に分離され多重された音声データが入力され、その音声データに基づき音声信号を再生出力可能な音声信号処理装置であって、
入力される前記音声データに対して前記第1の周波数帯域の音声信号をデコードする第１の音声デコーダと、前記第2の周波数帯域の音声信号をデコードする第2の音声デコーダとを有するデコード手段と、
入力される前記音声データの音声モードを検出する音声モード検出部とを備え、
前記音声モード検出部で検出された音声モードがデュアルモノモードの時は、前記第1の音声デコーダを動作させ、前記第2の音声デコーダの動作を停止することを特徴とする音声信号処理装置。
【請求項２】
互いに異なる第1および第2の周波数帯域に分離され多重された音声データが入力され、その音声データに基づき音声信号を再生出力可能な音声信号処理装置であって、
入力される前記音声データに対して前記第1の周波数帯域の音声信号をデコードする第１の音声デコーダと、前記第2の周波数帯域の音声信号をデコードする第2の音声デコーダとを有するデコード手段と、
入力される前記音声データのビットレートを一定間隔で取得し、ある一定値以下であることを監視するビットレート監視手段と、
前記第１の音声デコーダあるいは前記第２の音声デコーダを停止するデコーダ停止手段とを備え、
前記デコード停止手段は、前記ビットレート監視手段で取得したビットレートが一定値以下であることを検出したときは、前記第２の音声デコーダを停止することを特徴とする音声信号処理装置。
【発明の詳細な説明】
【技術分野】
【０００１】
本発明は、暗号化された音声信号を復号化する音楽信号処理装置に関し、特に、複数の音声信号復号処理を有した音声信号処理装置に関するものである。
【背景技術】
【０００２】
近年、デジタルテレビのワンセグ放送が開始され、携帯機器にワンセグ受信機能が搭載されるようになってきている。
【０００３】
ワンセグ放送における音声データの再生処理方式の一つである、ＨＥ−ＡＡＣ（Ｈｉｇｈ  Ｅｆｆｅｃｉｅｎｃｙ−ＡＡＣ）方式は、入力音の低域成分を従来のＡＡＣで符号化し、高域成分をＳＢＲ（Ｓｐｅｃｔｒａｌ  Ｂａｎｄ  Ｒｅｐｌｉｃａｔｉｏｎ：スペクトル帯域複製）で符号化する。ＳＢＲは、音楽などの高域成分が低域成分と高い相関がある性質を利用することにより、従来のＡＡＣより少ないビット数で高音質な符号化を実現している。ＳＢＲは、図３のように、符号化対象の高域成分と強い相関のある低域成分を複製して高域成分を作成し、複製した高域成分の電力を微調整する。また、高域成分の中で低域から複製できない部分については付加情報として符号化する。
このように、ＳＢＲでは低域成分から高域成分を複製することにより、従来のＡＡＣよりも低いビットレートで符号化できる。従って、ワンセグ放送等に適している。しかし、ＳＢＲ用のデコーダが追加で必要になり、消費電力が増大してしまう。そのため、省電力化する目的でＳＢＲデコーダの動作・停止を制御する技術が開示されている（例えば、特許文献１、特許文献２）。
【先行技術文献】
【特許文献】
【０００４】
【特許文献１】特開２００６−３３３２３８号公報
【特許文献２】特開２００８−２３６２０８号公報
【発明の概要】
【発明が解決しようとする課題】
【０００５】
しかしながら、ＳＢＲの量子化では、一つの周波数帯域内で共通の電力を持つように量子化する。SBRの周波数帯域幅には、「高分解能」と「低分解能」の2種類あり、高分解能に比べて低分解能の方が周波数帯域は広い。このため、音声のように、周波数が高くなるにつれて電力が小さくなる信号を低分解能で符号化すると、符号化前に比べて高域成分の電力が大きくなる傾向がある。とくに、「サ、シ、ス、セ、ソ」のような子音では、高域に電力が集中するため、低分解能で符号化すると、高域成分が強調されて不自然に聞こえるという問題があった。
【０００６】
そこで、本発明は、上記従来の問題点を解決すべく、この子音の不自然な強調を無くした音声信号処理装置を提供することを目的とする。
【課題を解決するための手段】
【０００７】
上記目的を達成するために、本発明の音声信号処理装置は、互いに異なる第1および第2の周波数帯域に分離され多重された音声データが入力され、その音声データに基づき音声信号を再生出力可能な音声信号処理装置であって、入力される前記音声データに対して前記第1の周波数帯域の音声信号をデコードする第１の音声デコーダと、前記第2に周波数帯域の音声信号をデコードする第2の音声デコーダとを有するデコード手段と、入力される前記音声データの音声モードを検出する音声モード検出部を備え、前記音声モード検出部で検出された音声モードがデュアルモノモードの時は、前記第1の音声デコーダを動作させ、前期第2の音声デコーダの動作を停止することを特徴とする音声信号処理装置としたものである。
【０００８】
このような構成をとることにより、音声モードが音楽信号を目的とせず２箇国語放送等の目的のデュアルモノモードの時は、前期第２の音声デコーダ（つまりＳＢＲデコーダ)の動作を停止させ、前記子音の不自然な強調を防止するという作用を有する。
【発明の効果】
【０００９】
上記の構成によれば、子音の不自然な強調を防止するとともに、オーディオモードがステレオまたは単なるモノ・モードのように音楽信号が十分想定されるときには第２の音声デコーダ（つまりＳＢＲデコーダ)を動作させて高音質信号再生できる音声信号処理装置を提供することができる。
【図面の簡単な説明】
【００１０】
【図１】実施の形態１にかかる音声信号処理装置のシステム構成図
【図２】実施の形態２にかかる音声信号処理装置のシステム構成図
【図３】音声符号化方式の信号特性を示す特性図
【発明を実施するための形態】
【００１１】
以下、本発明の音声信号処理装置を実施の形態について、図面を参照しながら詳細に説明する。
（実施の形態１）
図１は、本発明の実施の形態１にかかる音声信号処理装置のシステム構成図を示す。
【００１２】
図１において、音声信号処理装置は、アンテナ１、デジタルテレビ放送受信部２、映像処理部３、ビデオインターフェイス４、表示モニタ５、オーディオ処理部６、オーディオインターフェイス７、スピーカ８、オーディオモード検出部９で構成されている。
【００１３】
アンテナ１は、デジタル放送波を受信する。
【００１４】
デジタルテレビ放送受信部２は、アンテナ１で受信したデジタル放送波をビデオ信号及びオーディオ信号からなるデジタル信号に変換する。
【００１５】
映像処理部３は、暗号化されたビデオ信号を復号化する。
【００１６】
ビデオインターフェイス４は、復号されたビデオ信号を表示モニタ５に表示するようにフォーマット変換する。
【００１７】
表示モニタ５は、フォーマット変換されたビデオ信号を表示する。
【００１８】
オーディオ処理部６は、ＡＡＣデコーダ６１およびＳＢＲデコーダ６２で構成されている。ＡＡＣデコーダ６１はＡＡＣフォーマットで暗号化されたオーディオデータを復号化する。ＳＢＲデコーダ６２は、ＳＢＲフォーマットで暗号化されたオーディオデータを複合化する。
【００１９】
オーディオインターフェイス７は、オーディオモード検出部９で検出されたモードに関連したオーディオデータを抽出する。
【００２０】
スピーカ８は、抽出されたオーディオデータを出力する。
【００２１】
オーディオモード検出部９は、複合化されたオーディオデータに付随する情報からモードを取得する。
【００２２】
以上のように構成された音声信号処理装置について、以下その動作について説明する。
【００２３】
まずデジタルテレビ放送受信部２は、放送局から放送される地上波デジタル放送の放送信号をアンテナ１より受信する。受信された映像信号は、映像処理部３でデコード処理され、ビデオインターフェイス４を経由して表示モニタ５に表示される。一方、受信された音声信号は、オーディオ処理部６でデコードされ、オーディオインターフェイス７を経由してスピーカ８より出力される。この音声信号のモードは、オーディオモード検出部９により、モノラル、ステレオ、デュアルモノのそれぞれのモードに検出され、表１に示すように、それぞれのモードに応じてオーディオインターフェイス７等を制御してスピーカ８に出力する。
【００２４】
【表１】
2011158694.tif 000003
【００２５】
検出されたモードがデュアルモノモードの場合には、図示されていないチャンネル選択手段により選択された２箇国語放送のうちいずれか一方のみが出力される。このとき、表２に示すように、ＳＢＲデコーダを停止する。
【００２６】
【表２】
2011158694.tif 000004
【００２７】
オーディオモード検出部９の検出結果であるモードが、ステレオモードの時は音声信号の具体的内容としては音楽信号である場合が多く、モノラルモードの時も音声信号の具体的内容としては音楽信号がある場合が多いため、ＳＢＲデコーダ６２を動作させて高音質な形式で音声データをデコードすることになる。
【００２８】
しかし、オーディオモード検出部９の検出結果であるモードが、デュアルモノモードの時は2箇国語放送時と想定されるため言語放送である場合が多い。さらに、デュアルモノ放送とういう性質上1ヶ国語についてみればビットレートは半分程度に低下していることが予想されるため、「低分解能」となっていて子音の音質劣化の状態になりやすい。しかし、実施の形態１では、デュアルモノモードの時は、ＳＢＲデコーダ６２を停止させているため、子音の音質劣化は発生しない。
【００２９】
以上のように実施の形態１の音声信号処理装置では、音声信号として音楽信号である場合が多いステレオ及びモノラルモードの時はSBRデコーダを動作させて高音質な形式でデコードし、一方言語信号の場合が多いデュアルモノモードの時はＳＢＲデコーダを停止させて、高音質音声ではないが、子音の音質劣化を防止することができる。
（実施の形態２）
図２は、本発明の実施の形態２にかかる音声信号処理装置のシステム構成図を示す。実施の形態２の音声信号処理装置は、実施の形態１の音声信号処理装置にビットレート監視手段１０、デコード方式変換手段１１が追加されたものである。それ以外の構成は実施の形態１と同様であるため、各構成の説明は省略する。
【００３０】
ビットレート監視手段１０は、複合化された音声信号のビットレートを一定間隔おきに取得し、その取得したビットレートがある特定値以下になったかどうかを監視する。
【００３１】
デコード方式変換手段１１は、ビットレート監視手段１０で取得したビットレートがある特定値以下になった場合には、ＳＢＲデコードをオフにする。
【００３２】
以上のように構成された音声信号処理装置について、以下その動作について説明する。
【００３３】
まずデジタルテレビ放送受信部２は、放送局から放送される地上波デジタル放送の放送信号をアンテナ１より受信する。受信された映像信号は、映像処理部３でデコード処理され、ビデオインターフェイス４を経由して表示モニタ５に表示される。一方、受信された音声信号は、オーディオ処理部６でデコードされ、オーディオインターフェイス７を経由してスピーカ８より出力される。このとき、ビットレート監視手段１０は、復号化された音声信号のビットレートを一定間隔おきに取得し、その取得したビットレートがある特定値以下になったかどうかを監視する。もしビットレートがある特定値以下になったときには、デコード方式変換手段１１はＳＢＲデコードをオフにする。
【００３４】
以上のように本実施の形態２の音声信号処理装置では、音声信号のビットレートが低い場合、すなわち「低分解能」となっていて子音の音質劣化の状態になりやすい場合には、ＳＢＲデコードを停止させて、高音質音声ではないが、子音の音質劣化を防止することができる。
【産業上の利用可能性】
【００３５】
本発明は、暗号化された音声信号を復号化する音楽信号処理装置に関し、特に、複数の音声信号復号処理を有した音声信号処理装置に関するものであって、子音の不自然な強調を無くした音声信号処理装置を提供できる。そのため、本発明は、携帯電話やワンセグテレビのようなポータブル機器に適用できる。
【符号の説明】
【００３６】
１    アンテナ
２    デジタルテレビ放送受信部
３    映像処理部
４    ビデオインターフェイス
５    表示モニタ
６    オーディオ処理部
６１    AACデコーダ
６２    SBRデコーダ
７    オーディオインターフェイス
８    スピーカ
９    オーディオモード検出部
１０    ビットレート監視手段
１１    デコード方式変換手段
【図１】
2011158694.tif 000005
【図２】
2011158694.tif 000006
【図３】
2011158694.tif 000007